(57)【要約】      （修正有）【課題】清掃具の取っ手を別途用意した長尺の柄の先端部にワンタッチで取り付けられ、かつ柄に対する清掃具の取り付け角度も調整できるようにした清掃具取り付け構造を提供する。【解決手段】柄２の長さ方向一端部には接続支持部が設けられ、この接続支持部３に取っ手接続部材５が揺動可能に支持される。取っ手接続部材５は、取っ手が挿嵌可能な前記接続筒部とこの接続筒部と前記接続本体との間に架設された一対の対向片とから構成された取っ手接続部が設けられて、対向片の内側面には、取っ手に設けられた引っ掛け孔に係合可能な係合突起が設けられ、前記取っ手接続部の外周には、前記対向片の外方への弾性変形を阻止するための変形阻止筒が前記対向片の外周に位置する状態と前記対向片の外周から退避する状態との間でスライド可能に設けられる。かつ揺動部材を接続支持部に対して所定の傾斜角度でロックするためのロック機構６が設けられている。【選択図】図１
2010017379.tif 000002
【特許請求の範囲】
【請求項１】
清掃部材を備えた清掃具の取っ手を、別途用意した柄に接続して、前記清掃具を柄に取り付けるための清掃具取り付け構造であって、前記柄の長さ方向一端部には接続支持部が設けられて、この接続支持部には取っ手接続部材が揺動可能に支持されるとともに、この取っ手接続部材には、接続本体と前記取っ手が挿嵌可能な接続筒部とこの接続筒部と前記接続本体との間に架設された一対の対向片とから構成された取っ手接続部が設けられて、この取っ手接続部材の対向片が弾性変形可能であり、前記対向片の内側面には、前記取っ手に設けられた引っ掛け孔に係合可能な係合突起が設けられ、前記取っ手接続部の外周には、前記対向片の外方への弾性変形を阻止するための変形阻止筒が前記対向片の外周に位置する状態と前記対向片の外周から退避する状態との間でスライド可能に設けられていることを特徴とする清掃具の取り付け構造。
【請求項２】
前記揺動部材と前記接続支持部との間には、前記接続支持部に対する前記揺動部材の揺動を阻止して、前記揺動部材を前記接続支持部に対して所定の傾斜角度でロックするためのロック機構が設けられていることを特徴とする請求項１に記載の清掃具取り付け構造。
【発明の詳細な説明】
【技術分野】
【０００１】
本発明は、取っ手の先端部に清掃部材を取り付けて成るハンディタイプの清掃具を用いて高所の清掃が行なえるように、前記清掃具の取っ手を長尺の柄に取り付けるための取り付け構造に関する。
【背景技術】
【０００２】
一般に、ハンディタイプの清掃具は、取っ手の先端部に清掃部材を取り付けて成り、通常は、前記取っ手を手で握って清掃を行なうようにしている。
ところで、以上の清掃具では、手の届く部分の清掃は容易に行なえるにしても、例えば箪笥の上や天井に吊った照明器具などの高所の清掃を直接行なうことが困難であり、これら高所の清掃を行なう場合には、例えば脚立などを用い、この脚立に載って行なうのが一般的であるが、脚立などを用いての清掃作業は、脚立の転倒などによる危険性がある。
以上の不具合に対しては、清掃具の取っ手を長尺の柄に接続することで、脚立などを用いずとも高所の清掃を行なえるようにする方法も提案されている。（特許文献１参照）
しかしながら前記文献に記載されている構造のものでは、柄の先端部内周面に雌螺子を周設すると共に、清掃具側には、前記雌螺子に螺着可能な雄螺子を有する接続筒部を設け、接続筒部を柄の先端部内に螺締することで、清掃具を柄に取り付けるようにしていることから、例えば、柄に清掃具を取り付けるのに、柄を何度も回転させねばならず、そのため、柄に対する清掃具の取り外しに手間を要する。
【特許文献１】特開平７−２８９４９１号
【発明の開示】
【発明が解決しようとする課題】
【０００３】
本発明は以上の実情に鑑みて開発したものであって、通常、取っ手の先端部にはフックなどへの引っ掛け孔が設けられていることに着目し、目的とするところは、この引っ掛け孔を有効利用して、柄に清掃具を確実にしかもワンタッチで取り付けることができ、しかも柄に対する清掃具の取り付け角度も簡単に調整することのできる清掃具取り付け構造を提供するにある。
【課題を解決するための手段】
【０００４】
以上の目的を達成するために、請求項１に記載の発明は、清掃部材を備えた清掃具の取っ手を、別途用意した柄に接続して、前記清掃具を柄に取り付けるための清掃具取り付け構造であって、
前記柄の長さ方向一端部には接続支持部が設けられて、この接続支持部には取っ手接続部材が揺動可能に支持されるとともに、この取っ手接続部材には、接続本体と前記取っ手が挿嵌可能な接続筒部とこの接続筒部と前記接続本体との間に架設された一対の対向片とから構成された取っ手接続部が設けられて、前記対向片が弾性変形可能であり、前記対向片の内側面には、前記取っ手に設けられた引っ掛け孔に係合可能な係合突起が設けられ、前記取っ手接続部の外周には、前記対向片の外方への弾性変形を阻止するための変形阻止筒が前記対向片の外周に位置する状態と前記対向片の外周から退避する状態との間でスライド可能に設けられていることを特徴とする。
【０００５】
請求項２に記載の発明は、請求項１に記載の清掃具取り付け構造において、前記揺動部材と前記接続支持部との間には、接続支持部に対する前記揺動部材の揺動を阻止して、前記揺動部材を前記接続支持部に対して所定の傾斜角度でロックするためのロック機構が設けられていることを特徴とする。
【発明の効果】
【０００６】
請求項１に記載の発明によれば、清掃具の取っ手を取っ手接続部に嵌めこんで、対向片の外周から退避する状態に位置する変形阻止筒を、対向片の外周に位置する状態にスライドさせるだけの極めて操作だけで、柄に対する清掃具の装着が行なえるし、柄から清掃具を取り外すに際しても、変形阻止筒を対向片の外周から退避する位置までスライドさせて、取っ手を取っ手接続部から引き抜くだけの極めて簡単な操作だけで、柄の取り外しも行なえ、しかも柄に対して清掃具の取り付け角度も任意変更することも出来るので、全体として柄に対する清掃具の装着ないし取り外しが極めて簡単且つ容易に行なえるのは勿論のこと、柄に清掃具を取り付けることで、脚立などを用いずとも例えば箪笥の上や天井に吊った照明器具などの高所の清掃を簡単且つ容易に行なうことが出来る。
【０００７】
請求項２に記載の発明によれば、請求項１に記載の発明の効果に加えて、柄に対する取り付け角度を変更した清掃具を柄に対して確実に固定することができるので、高所の清掃がより簡単且つ容易に行なえる。
【発明を実施するための最良の形態】
【０００８】
以下、本発明にかかる清掃具取り付け構造を説明する。
【０００９】
本発明にかかる清掃具取り付け構造は、ハンディタイプの清掃具１の取っ手１１を、別途用意した長尺の柄２の先端部に接続して、清掃具１を柄２に取り付けるためのものである。
【００１０】
清掃具１は、取っ手１１の長さ方向一端部に吸着性の高い合成樹脂製のフィバーからなる清掃部材１２を着脱可能に取り付けたものであり、取っ手１１の長さ方向他端部には、不使用時にフックなどに清掃具１を吊り下げるための引っ掛け孔１３が設けられている。
【００１１】
取っ手１１の長さ方向他端側は、断面略楕円形に形成され、またその遊端部は若干先細状となるように形成されている。
【００１２】
柄２は、断面円形の外筒２１とこの外筒２１に対して出退可能に組み付けられた断面円形の内筒２２から構成されて、前記内筒２２を外筒２１から引き出したりあるいは格納することにより、柄２の長さを任意調整可能としている。
【００１３】
そして図に示す実施形態では、清掃具１を柄２の先端部に接続するための接続体３を別途形成して、この接続体３を介して、清掃具１を柄２に取り付けるようにしている。
【００１４】
この接続体３は、基本的には、柄２の長さ方向一端部に取り付けられる接続支持部材４と、この接続支持部材４に揺動可能に支持される取っ手接続部材５とから構成されている。
接続支持部材４は、柄２の長さ方向一端部、詳しくは柄２を構成する内筒２２の遊端部に密嵌可能な      筒状の接続筒部４１と、取っ手接続部材５を揺動可能に支持するための支持部４２とから構成されている。
支持部４２は、接続筒部４１から延びる円筒状の支持筒４３と、所定間隔開けて対向する円盤状の一対の支持プレート４４から構成され、これら支持プレート４４は、支持筒４３の長さ方向一端に設けられて、その中央には、後記する支持ピン４６の挿通孔４５が設けられている。
支持ピン４６は、メインピン４７と、このメインピン４７に連結するサブピン４８とから構成されている。
メインピン４７は、円盤状のフランジ４７aと、このフランジ４７aの内側面中央に立設する円筒状のピン本体４７ｂとから形成され、またサブピン４８は、円盤状のフランジ４８aと、このフランジ４８aの内側面中央に立設して、前記したピン本体４７ｂ内に嵌合可能な円柱状の連結軸４８ｂとから形成されている。
取っ手接続部材５は、前述の支持ピン４６に回転可能に枢支される回動板５１と、この回動板５１に一体に設けられて清掃具１の取っ手１１を接続するための取っ手接続部５２とから構成されている。
回動板５１は、接続支持部材４の左右支持プレート４４間に介装可能な板状に形成され、その中央には、支持ピン４６の貫通孔５１ａが設けられている。
取っ手接続部５２は、回動板５１から一体に延びる断面楕円形の接続本体５２aと、この接続本体５２ａの遊端外周から所定間隔あけて対向状に延びる一対の対向片５２ｂと、これら対向片５２ｂの遊端に一体に形成された楕円形の接続筒部５２ｃとから構成され、接続筒部５２ｃは、清掃具１の取っ手１１の遊端部が挿嵌可能である。
接続筒部５２ｃ及び一対の対向片５２ｂは、弾性変形可能であって、対向片５２の内側面には、取っ手１１の引っ掛け孔１３に嵌合可能な部分球面状の係合突起５２ｄが突設されている。
そして、取っ手１１の取っ手接続部５２への嵌め込み時、取っ手１１の外面への係合突起５２ｄの当接により、一対の対向片５２ｂが互いに離間する方向に弾性的に変形し、取っ手１１の引っ掛け孔１３が係合突起５２ｄとほぼ対向する位置に来た時点で、互いに離間する方向に弾性的に変形していた一対の対向片５２ｂが、互いに近接する方向に弾性復帰して、係合突起５２ｄが取っ手１１の引っ掛け孔１３内に嵌合するようにしている。
また取っ手接続部５２の外周には、別途形成した変形阻止筒５３が対向片５２ｂの外周に位置する状態と対向片５２ｂの外周から退避して接続本体５２ａの外周に位置する状態との間でスライド可能に配置されている。
そしてこの変形阻止筒５３が対向片５２ｂの外周に位置する状態のときには、この変形阻止筒５３により、一対の対向片５２ｂが互いに離間する方向に弾性変形するのを阻止するようにし、変形阻止筒５３が対向片５２ｂの外周から退避する状態に位置するときには、一対の対向片５２ｂが互いに離間する方向に弾性変形するのを許容するようにしている。
尚、図中５４は、取っ手接続部５２の外周に嵌めた変形阻止筒５３が取っ手接続部５２から抜け外れるのを阻止するために、接続筒部５２ｃの外周に突設した抜け止め突起である。
【００１５】
一方、接続支持部材４と取っ手接続部材５との間には、接続支持部４に対する取っ手接続部材５の揺動を阻止して、取っ手接続部材５を前記接続支持部材４に対して所定の傾斜角度でロックするためのロック機構６が設けられている。
このロック機構６は、基本的には、接続支持部材4側に組みつけられるロック体６１と、取っ手接続部材５の回動板５１の円弧状外周に設けられた複数の係合溝６０から構成されている。
ロック体６１は、ロック操作部６２と、このロック操作部の両端部から突出して、回動板５１の外側面と対向する左右一対の位置規制片６３ａ・６３ｂと、これら左右位置規制片６３ａ・６３ｂ間における一方の位置規制片側６３ａにのみ設けられた係合突起６４とから構成されている。
このロック体６１は、支持筒４３における支持プレート４４側に設けた操作孔４３ａにスライド可能に挿通して、ロック体６１のスライド操作により、図９に示すように、係合突起６４が左右支持プレート４４間の空隙から退避させることで、接続支持部材４に対して取っ手接続部材５を揺動自由とし、ロック体６１のスライド操作により、図６にも示すように、係合突起６４を左右支持プレート４４間の空隙に望ませて回動板５１に設けた係合溝６０の一つに係合させることで、接続支持部材４に対する取っ手接続部材５の揺動を阻止するようにしている。
【００１６】
以上の構成からなる接続体３は、接続支持部材４の接続筒部４１を柄２の内筒２２の遊端部に密嵌させて、柄２の先端部に固定しておく。
【００１７】
そして清掃具１を柄２に取り付けたい場合には、取っ手接続部材５の変形阻止筒５３を接続本体５２ａの外周に位置させた上で、清掃具の取っ手１１の遊端部を接続筒部５２ｃに挿通するのであって、これにより、図７に示すように、まず取っ手１１の外面に係合突起５２ｄが当接して、一対の対向片５２ｂが互いに離間する方向に弾性的に変形し、取っ手１１の引っ掛け孔１３が係合突起５２ｄとほぼ対向する位置に来た時点で、互いに離間する方向に弾性的に変形していた一対の対向片５２ｂが、互いに近接する方向に弾性復帰して、係合突起５２ｄが取っ手１１の引っ掛け孔１３内に嵌合する。
【００１８】
そして、係合突起５２ｄが取っ手１１の引っ掛け孔１３内に嵌合したならば、図８に示すように、変形阻止筒５３をスライドさせて対向片５２ｂの外周に位置させれば、この変形阻止筒５３により、一対の対向片５２ｂが互いに離間する方向に弾性変形するのが阻止されることとなり、これにより、取っ手１１が取っ手接続部５２から抜け落ちることがなく、従って清掃具１が柄に確実に取り付けられる。
【００１９】
次に、柄２に対する清掃具１の取り付け角度を調整したい場合には、ロック体６１のロック操作部６２を押して、ロック体６１を支持筒４３に対してスライドさせることにより、図９に示すように、係合突起６４を左右支持プレート４４間の空隙から退避させた上で、取っ手接続部材５を接続支持部材４に対して揺動させる。
そして、清掃具１を柄２に対して所望の取り付け角度に調整した後、ロック体６１を前記とは逆方向にスライドさせることにより、図８に示すように、係合突起６４を左右支持プレート４４間の空隙に望ませて、この係合突起６４を回動板５１に設けた係合溝６０の１つに係合させる。
これにより、取っ手接続部材５が接続支持部材４に対してロックされて、清掃具１が柄２に対して所望の取り付け角度で固定されることとなる。
【００２０】
斯くして以上のごとく、接続体３を介して柄２を取り付けた清掃具１によれば、脚立などを用いずとも例えば箪笥の上や天井に吊った照明器具などの高所の清掃を簡単且つ容易に行なうことが出来る。
また清掃具１の柄２に対する装着に際しては、清掃具１の取っ手１１を取っ手接続部５２に嵌めこんで、変形阻止筒５３をスライドさせるだけの極めて簡単な操作で行なえるし、清掃具１の柄２からの取り外しに際しても、変形阻止筒５３をスライドさせて、取っ手２を取っ手接続部５２から引き抜くだけの極めて簡単な操作で行なえる。
【００２１】
以上の実施形態では、接続体３の接続支持部材４を柄２とは別体に形成したが、接続支持部材４を柄２に一体形成してもよい。
【図面の簡単な説明】
【００２２】
【図１】本発明にかかる清掃具の取り付け構造の一実施形態を示す正面図。
【図２】接続体の斜視図。
【図３】接続体の正面図。
【図４】接続体の平面図。
【図５】接続体の分解斜視図。
【図６】清掃具及び柄を取り付けた接続体の断面図。
【図７】清掃具を接続体を介して柄に取り付ける過程を示す断面図。
【図８】清掃具を接続体を介して柄に取り付ける過程を示す断面図。
【図９】ロック機構のロックを解除した状態を示す接続体の断面図。
【符号の説明】
【００２３】
１        清掃具
１１      取っ手
１２      清掃部材
１３      引っ掛け孔
２        柄
３        接続体
４        接続支持部材
５        取っ手接続部材
５２      取っ手接続部
５２ａ    接続本体
５２ｂ    対向片
５２ｃ    接続筒部
５２ｄ    係合突起
５３      変形阻止筒
６        ロック機構
【図１】
2010017379.tif 000003
【図２】
2010017379.tif 000004
【図３】
2010017379.tif 000005
【図４】
2010017379.tif 000006
【図５】
2010017379.tif 000007
【図６】
2010017379.tif 000008
【図７】
2010017379.tif 000009
【図８】
2010017379.tif 000010
【図９】
2010017379.tif 000011